【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
伝送制御信号を多重伝送することで伝送制御を行うデジタルデータの送信装置であって、
固定長データ及び可変長データを伝送可能なストリームを入力し、所定の符号化・変調処理を施して変調波を生成する変調波生成手段と、
前記ストリームに関連付ける基準時刻に関する情報を用いて出力用ストリーム基準時刻情報を生成し前記伝送制御信号に埋め込み、所定の符号化・変調処理を施し前記変調波に多重して伝送する伝送手段と、
を備えることを特徴とする送信装置。
【請求項２】
前記出力用ストリーム基準時刻情報は、前記ストリームに関連付ける基準時刻に関する情報として、所定の日時を基準とした時刻情報からなる基準時刻情報と、送信点及び受信点の間で予め想定される伝送遅延時間を示す基準時刻補正情報とを含むことを特徴とする、請求項１に記載の送信装置。
【請求項３】
前記伝送手段は、前記ストリームに応じた前記出力用ストリーム基準時刻情報を多重したフレーム基準時刻情報を生成し、前記伝送制御信号に埋め込む手段を有することを特徴とする、請求項１又は２に記載の送信装置。
【請求項４】
前記伝送制御信号に含まれる拡張識別の情報には、前記伝送制御信号内に前記フレーム基準時刻情報が含まれているか否かを示すフラグが設けられていることを特徴とする、請求項３に記載の送信装置。
【請求項５】
前記フレーム基準時刻情報は、多重される個々のストリームを識別するための相対ストリーム毎に個別の当該基準時刻に関する情報が付与されているか、全ての相対ストリーム番号に対して共通の当該基準時刻に関する情報が付与されているかを示すフラグを含むことを特徴とする、請求項３又は４に記載の送信装置。
【請求項６】
前記フレーム基準時刻情報は、該フラグに後続して、当該基準時刻に関する情報が含まれているか否かを示す後続拡張情報有無フラグを更に含むことを特徴とする、請求項５に記載の送信装置。
【請求項７】
前記フレーム基準時刻情報は、当該ストリームに応じて多重される出力用ストリーム基準時刻情報として、多重される個々のストリームを識別するための相対ストリーム番号に対応して当該基準時刻に関する情報を伝送するか否かを示す時刻情報伝送フラグと、該時刻情報伝送フラグが当該基準時刻に関する情報を伝送する旨を示すストリームについてのみ該時刻情報伝送フラグに後続して付加される、所定の日時を基準とした時刻情報からなる基準時刻情報とを含むように構成されていることを特徴とする、請求項３から６のいずれか一項に記載の送信装置。
【請求項８】
前記フレーム基準時刻情報は、前記時刻情報伝送フラグに後続して該基準時刻情報と一組にして付加される、送信点及び受信点の間で予め想定される伝送遅延時間を示す基準時刻補正情報を更に含むことを特徴とする、請求項７に記載の送信装置。
【請求項９】
前記フレーム基準時刻情報は、前記時刻情報伝送フラグに後続して該基準時刻情報と一組にして付加される、前記基準時刻情報及び前記基準時刻補正情報を生成する場所を示す基準時刻場所情報を更に含むことを特徴とする、請求項８に記載の送信装置。
【請求項１０】
前記時刻情報伝送フラグは、多重される個々のストリームを識別するための相対ストリーム毎に個別の当該基準時刻に関する情報が付与されている際に、当該相対ストリーム番号がｋのストリームの時刻情報が有効であるか否かを示すよう前記時刻情報伝送フラグの最上位ビットから（ｋ＋１）番目のビットで識別するよう構成されている、請求項７から９のいずれか一項に記載の送信装置。
【請求項１１】
前記フレーム基準時刻情報は、最後尾に、前記基準時刻情報に後続する拡張情報を識別するための後続拡張情報識別を更に含むことを特徴とする、請求項９に記載の送信装置。
【請求項１２】
固定長データ及び可変長データを伝送可能なストリームに対し所定の符号化・変調処理が施された変調波に多重伝送されて所定の符号化・変調処理が施された伝送制御信号を受信するデジタルデータの受信装置であって、
前記伝送制御信号には、前記ストリームに関連付ける基準時刻に関する情報を用いて生成された出力用ストリーム基準時刻情報が埋め込まれており、
前記変調波を受信して復調し、前記ストリーム及び前記伝送制御信号を復号する復号手段と、
前記伝送制御信号から前記出力用ストリーム基準時刻情報を抽出する基準時刻情報抽出手段と、
を備えることを特徴とする受信装置。
【請求項１３】
前記出力用ストリーム基準時刻情報は、前記ストリームに関連付ける基準時刻に関する情報として、所定の日時を基準とした時刻情報からなる基準時刻情報と、送信点及び受信点の間で予め想定される伝送遅延時間を示す基準時刻補正情報とを含むことを特徴とする、請求項１２に記載の受信装置。
【請求項１４】
前記伝送制御信号には、前記ストリームに応じた前記出力用ストリーム基準時刻情報を多重したフレーム基準時刻情報が埋め込まれていることを特徴とする、請求項１２又は１３に記載の受信装置。
【請求項１５】
前記伝送制御信号に含まれる拡張識別の情報には、前記伝送制御信号内に前記フレーム基準時刻情報が含まれているか否かを示すフラグが設けられていることを特徴とする、請求項１４に記載の受信装置。
【請求項１６】
当該抽出した出力用ストリーム基準時刻情報を基に、当該復号したストリームの遅延変動を補正する補正手段を更に備えることを特徴とする、請求項１２から１５のいずれか一項に記載の受信装置。
【手続補正２】
【補正対象書類名】明細書
【補正対象項目名】００４９
【補正方法】削除
【補正の内容】
【手続補正３】
【補正対象書類名】明細書
【補正対象項目名】００５０
【補正方法】削除
【補正の内容】
【手続補正４】
【補正対象書類名】明細書
【補正対象項目名】００５１
【補正方法】削除
【補正の内容】
【手続補正５】
【補正対象書類名】明細書
【補正対象項目名】００５２
【補正方法】変更
【補正の内容】
【００５２】
また、本発明の送信装置において、前記出力用ストリーム基準時刻情報は、前記ストリームに関連付ける基準時刻に関する情報として、所定の日時を基準とした時刻情報からなる基準時刻情報と、送信点及び受信点の間で予め想定される伝送遅延時間を示す基準時刻補正情報とを含むことを特徴とする。
【手続補正６】
【補正対象書類名】明細書
【補正対象項目名】００５３
【補正方法】削除
【補正の内容】
【手続補正７】
【補正対象書類名】明細書
【補正対象項目名】００５４
【補正方法】削除
【補正の内容】
【手続補正８】
【補正対象書類名】明細書
【補正対象項目名】００６４
【補正方法】変更
【補正の内容】
【００６４】
更に、本発明の受信装置は、固定長データ及び可変長データを伝送可能なストリームに対し所定の符号化・変調処理が施された変調波に多重伝送されて所定の符号化・変調処理が施された伝送制御信号を受信するデジタルデータの受信装置であって、前記伝送制御信号には、前記ストリームに関連付ける基準時刻に関する情報を用いて生成された出力用ストリーム基準時刻情報が埋め込まれており、前記変調波を受信して復調し、前記ストリーム及び前記伝送制御信号を復号する復号手段と、前記伝送制御信号から前記出力用ストリーム基準時刻情報を抽出する基準時刻情報抽出手段と、を備えることを特徴とする。
また、本発明の受信装置において、前記出力用ストリーム基準時刻情報は、前記ストリームに関連付ける基準時刻に関する情報として、所定の日時を基準とした時刻情報からなる基準時刻情報と、送信点及び受信点の間で予め想定される伝送遅延時間を示す基準時刻補正情報とを含むことを特徴とする。
また、本発明の受信装置において、前記伝送制御信号には、前記ストリームに応じた前記出力用ストリーム基準時刻情報を多重したフレーム基準時刻情報が埋め込まれていることを特徴とする。
また、本発明の受信装置において、前記伝送制御信号に含まれる拡張識別の情報には、前記伝送制御信号内に前記フレーム基準時刻情報が含まれているか否かを示すフラグが設けられていることを特徴とする。